【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
ヒューマンマシンインターフェース（ＨＭＩ）アプリケーションを実装するためのコンピューティングシステムであって、前記コンピューティングシステムは、
メモリデバイスと、
１つまたは複数のグラフィカル要素を備えるグラフィカルユーザインターフェース（ＧＵＩ）の表示を可能にするように構成された少なくとも１つのプロセッサと
を備え、前記１つまたは複数のグラフィカル要素は、前記少なくとも１つのプロセッサを使用して、１つまたは複数のサーバ上に記憶された１つまたは複数のソフトウェアアプリケーションを実装するように構成され、
前記１つまたは複数のソフトウェアアプリケーションは、
少なくとも１つのプロセッサを備えるハードウェアデバイス上で実行しているまたは前記ハードウェアデバイスに記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を行うように構成されている、コンピューティングシステム。
【請求項２】
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、請求項１に記載のコンピューティングシステム。
【請求項３】
前記１つまたは複数のソフトウェアアプリケーションは、前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
を行うようにさらに構成されている、請求項２に記載のコンピューティングシステム。
【請求項４】
前記１つまたは複数のソフトウェアアプリケーションは、前記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、１つまたは複数の物理的リグコンポーネントを表す、ことと、
メタデータの表示を可能にすることであって、前記メタデータは、前記１つまたは複数の物理的リグコンポーネントを説明する、ことと
を行うようにさらに構成されている、請求項２に記載のコンピューティングシステム。
【請求項５】
前記１つまたは複数のソフトウェアアプリケーションは、前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
を行うようにさらに構成されている、請求項２に記載のコンピューティングシステム。
【請求項６】
前記１つまたは複数のソフトウェアアプリケーションは、前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
を行うようにさらに構成されている、請求項２に記載のコンピューティングシステム。
【請求項７】
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、請求項１に記載のコンピューティングシステム。
【請求項８】
前記ＨＭＩアプリケーションは、
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
を行うようにさらに構成されている、請求項１に記載のコンピューティングシステム。
【請求項９】
前記１つまたは複数のソフトウェアアプリケーションは、前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、こと
を行うようにさらに構成されている、請求項２に記載のコンピューティングシステム。
【請求項１０】
前記１つまたは複数のソフトウェアアプリケーションは、前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にするようにさらに構成され、前記１つまたは複数のノードのそれぞれは、１つまたは複数のリグコンポーネントの現在の診断状態を表すアイコンを備える、請求項９に記載のコンピューティングシステム。
【請求項１１】
ヒューマンマシンインターフェース（ＨＭＩ）アプリケーションを実装する方法であって、前記方法は、
少なくとも１つのプロセッサを備えるハードウェアデバイス上で実行しているまたは前記ハードウェアデバイス上に記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと、
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を含む、方法。
【請求項１２】
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、請求項１１に記載の方法。
【請求項１３】
前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
をさらに含む、請求項１２に記載の方法。
【請求項１４】
前記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、前記１つまたは複数の物理的リグコンポーネントを表す、ことと、
メタデータの表示を可能にすることであって、前記メタデータは、前記１つまたは複数の物理的リグコンポーネントを説明する、ことと
をさらに含む、請求項１２に記載の方法。
【請求項１５】
前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
をさらに含む、請求項１２に記載の方法。
【請求項１６】
前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
をさらに含む、請求項１２に記載の方法。
【請求項１７】
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、請求項１１に記載の方法。
【請求項１８】
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
をさらに含む、請求項１１に記載の方法。
【請求項１９】
前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、こと
をさらに含む、請求項１２に記載の方法。
【請求項２０】
前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にすることをさらに含み、前記１つまたは複数のノードのそれぞれは、１つまたは複数のリグコンポーネントの現在の診断状態を表すアイコンを備える、請求項１９に記載の方法。
【手続補正２】
【補正対象書類名】明細書
【補正対象項目名】００２６
【補正方法】変更
【補正の内容】
【００２６】
前述は、以下に続く発明を実施するための形態がさらに理解され得るために、本発明の実施形態のある特徴および技術的利点をかなり広義に概説している。付加的特徴および利点が、以下で説明されるであろう。開示される概念および具体的実施形態は、同一または類似目的を実施するための他の構造を修正もしくは設計するための基礎として容易に利用され得ることが、当業者によって理解されるはずである。また、そのような同等の構造は、添付の請求項に記載されるような本発明の精神および範囲から逸脱しないことも、当業者によって認識されるはずである。付加的特徴が、付随する図面に関連して考慮されたときに、以下の説明からさらに理解されるであろう。しかしながら、図はそれぞれ、例証および説明の目的のためのみに提供され、本発明を限定することを意図しないことを明確に理解されたい。
本発明は、例えば、以下を提供する。
（項目１）
ヒューマンマシンインターフェース（ＨＭＩ）アプリケーションを実装するためのコンピューティングシステムであって、前記コンピューティングシステムは、
メモリデバイスと、
１つまたは複数のグラフィカル要素を備えるグラフィカルユーザインターフェース（ＧＵＩ）の表示を可能にするように構成された少なくとも１つのプロセッサと
を備え、前記１つまたは複数のグラフィカル要素は、前記少なくとも１つのプロセッサを使用して、１つまたは複数のサーバ上に記憶された１つまたは複数のソフトウェアアプリケーションを実装するように構成され、
前記１つまたは複数のソフトウェアアプリケーションは、
少なくとも１つのプロセッサを備えるハードウェアデバイス上で実行しているまたは前記ハードウェアデバイスに記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を行うように構成されている、コンピューティングシステム。
（項目２）
前記ＨＭＩアプリケーションは、１つまたは複数の海洋掘削リグに適用可能な１つまたは複数の標準動作プロシージャを実装するように構成されている、項目１に記載のコンピューティングシステム。
（項目３）
前記ＨＭＩアプリケーションは、
前記ハードウェアデバイスにおいて、前記１つまたは複数の標準動作プロシージャへの１つまたは複数の修正を表すデータを受信することと、
前記１つまたは複数の修正を前記１つまたは複数の標準動作プロシージャに適用することにより、１つまたは複数の修正された標準動作プロシージャを作成することと、
前記１つまたは複数の修正された標準動作プロシージャを前記１つまたは複数の海洋掘削リグに適用することと
を行うようにさらに構成されている、項目２に記載のコンピューティングシステム。
（項目４）
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、項目１に記載のコンピューティングシステム。
（項目５）
前記１つまたは複数のソフトウェアアプリケーションは、前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
を行うようにさらに構成されている、項目４に記載のコンピューティングシステム。
（項目６）
前記１つまたは複数のソフトウェアアプリケーションは、
前記システム制御サブゾーン内の１つまたは複数の視覚ステータス表示の表示を可能にすることと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
を行うようにさらに構成されている、項目５に記載のコンピューティングシステム。
（項目７）
前記１つまたは複数のソフトウェアアプリケーションは、
前記レイアウト図内の流路の表示を可能にすることと、
前記流路のための１つまたは複数の色の表示を可能にすることであって、前記１つまたは複数の強調された色は、前記流路の１つまたは複数の予測流路状態に対応し、前記１つまたは複数の予測流路状態は、
予測流体流動状態、
予測流体非流動状態、および／または
予測流体圧力蓄積状態
を含む、ことと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
を行うようにさらに構成されている、項目５に記載のコンピューティングシステム。
（項目８）
前記１つまたは複数のソフトウェアアプリケーションは、
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを１つまたは複数の物理的リグコンポーネント上で実施することと
を行うようにさらに構成されている、項目５に記載のコンピューティングシステム。
（項目９）
前記１つまたは複数のソフトウェアアプリケーションは、前記選択可能なコンポーネント、制御オプション、または破壊機能確認オプションのうちの１つのユーザ選択の受信後に、可聴フィードバック機能を果たすようにさらに構成され、前記可聴フィードバック機能は、前記ユーザ選択に対応する機能が開始される前に、前記ユーザ選択の可聴確認を提供することを含む、項目５に記載のコンピューティングシステム。
（項目１０）
前記１つまたは複数の破壊機能は、
パイプ切断アクション、および
ＢＯＰ接続解除アクション
のうちの１つまたは複数のものを含む、項目８に記載のコンピューティングシステム。
（項目１１）
前記１つまたは複数のソフトウェアアプリケーションは、前記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、１つまたは複数の物理的リグコンポーネントを表す、ことと、
メタデータの表示を可能にすることであって、前記メタデータは、前記１つまたは複数の物理的リグコンポーネントを説明する、ことと
を行うようにさらに構成されている、項目４に記載のコンピューティングシステム。
（項目１２）
前記１つまたは複数のソフトウェアアプリケーションは、前記少なくとも１つのコンポーネント動作オプションのユーザ選択を受信した後に、
前記１つまたは複数のコンポーネントアイコンのユーザ選択を受信することと、
ユーザが、前記情報サブゾーンの中に位置するレイアウト図上に、前記選択された１つまたは複数のコンポーネントアイコンをドラッグすることを可能にすることであって、前記レイアウト図は、前記１つまたは複数の物理的リグコンポーネントの現在のスタック配列を表す、ことと、
前記レイアウト図上に前記選択された１つまたは複数のコンポーネントアイコンを受け取ることに応じて、前記レイアウト図を修正することと、
前記修正されたレイアウト図を構成する前記１つまたは複数のコンポーネントアイコンに合致する修正された現在のスタック配列になるよう前記１つまたは複数の物理的リグコンポーネントの移動動作を制御することと
を行うようにさらに構成されている、項目１１に記載のコンピューティングシステム。
（項目１３）
前記１つまたは複数のソフトウェアアプリケーションは、前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
を行うようにさらに構成されている、項目４に記載のコンピューティングシステム。
（項目１４）
前記１つまたは複数のソフトウェアアプリケーションは、前記イベント診断オプションのユーザ選択を受信した後に、
前記情報サブゾーン内のイベントタイムラインの表示を可能にすることであって、前記イベントタイムラインは、前記ＨＭＩアプリケーションによって記録された１つまたは複数のイベントに対応する１つまたは複数のイベントの線形表示を含み、前記１つまたは複数のイベントと１つまたは複数のユーザアクションとの間の因果関係を示す、ことと、
前記情報サブゾーン内のイベントログの表示を可能にすることであって、前記イベントログは、前記１つまたは複数の記録されたイベントのリストを含む、ことと
を行うようにさらに構成されている、項目１３に記載のコンピューティングシステム。
（項目１５）
前記１つまたは複数のソフトウェアアプリケーションは、
前記情報サブゾーン内のコンポーネントタイムラインの表示を可能にすることであって、前記コンポーネントタイムラインは、前記ＨＭＩアプリケーションによって記録された１つまたは複数のコンポーネントステータスイベントに対応する１つまたは複数のコンポーネントステータスの線形表示を含む、ことと、
前記情報サブゾーン内のコンポーネントログの表示を可能にすることであって、前記コンポーネントログは、前記１つまたは複数の記録されたコンポーネントステータスイベントのリストを含む、ことと
を行うようにさらに構成されている、項目１３に記載のコンピューティングシステム。
（項目１６）
前記１つまたは複数のソフトウェアアプリケーションは、
前記情報サブゾーン内の圧力および温度タイムラインの表示を可能にすることであって、前記圧力および温度タイムラインは、前記ＨＭＩアプリケーションによって記録された１つまたは複数の流体流動ステータスイベントに対応する１つまたは複数の圧力および温度ステータスの線形表示を含む、ことと、
前記情報サブゾーン内の圧力および温度ログの表示を可能にすることであって、前記圧力および温度ログは、前記１つまたは複数の記録された流体流動ステータスイベントのリストを含む、ことと
を行うようにさらに構成されている、項目１３に記載のコンピューティングシステム。
（項目１７）
前記１つまたは複数のソフトウェアアプリケーションは、前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
を行うようにさらに構成されている、項目４に記載のコンピューティングシステム。
（項目１８）
前記１つまたは複数のソフトウェアアプリケーションは、前記１つまたは複数の選択可能な試験オプションのうちの１つまたは複数のもののユーザ選択を受信した後に、
前記選択された１つまたは複数の選択可能な試験オプションに対応する１つまたは複数の試験を実施することと、
選択されていない１つまたは複数の選択可能な試験オプションに対応する１つまたは複数の試験を実施することを遅延させることと
を行うようにさらに構成されている、項目１７に記載のコンピューティングシステム。
（項目１９）
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、項目１に記載のコンピューティングシステム。
（項目２０）
前記ＨＭＩアプリケーションは、
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
を行うようにさらに構成されている、項目１に記載のコンピューティングシステム。
（項目２１）
前記１つまたは複数のイベントは、コンポーネント故障およびアラームのうちの１つまたは複数のものを含む、項目１４に記載のコンピューティングシステム。
（項目２２）
前記ＧＵＩは、タッチスクリーンインターフェースを備え、前記タッチスクリーンインターフェースは、ユーザが、前記１つまたは複数の選択可能なナビゲーションオプションまたは前記１つまたは複数の選択可能なアクションオプションに対応するアイコンにタッチすることによって、前記１つまたは複数の選択可能なナビゲーションオプションのうちの１つおよび前記１つまたは複数の選択可能なアクションオプションのうちの１つを選択することを可能にするように構成されている、項目１に記載のコンピューティングシステム。
（項目２３）
前記１つまたは複数のソフトウェアアプリケーションは、前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、ことと
を行うようにさらに構成されている、項目４に記載のコンピューティングシステム。
（項目２４）
前記１つまたは複数のソフトウェアアプリケーションは、前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にするようにさらに構成され、前記１つまたは複数のノードのそれぞれは、１つまたは複数のリグコンポーネントの現在の診断状態を表すアイコンを備える、項目２３に記載のコンピューティングシステム。
（項目２５）
前記１つまたは複数のアイコンは、１つまたは複数の異常コンポーネント状態を示す第１のシンボルと、１つまたは複数のエラーのないコンポーネント状態を示す第２のシンボルとを含む、項目２４に記載のコンピューティングシステム。
（項目２６）
前記１つまたは複数のレベルは、１つまたは複数のリグコンポーネントに対応し、前記１つまたは複数のノードは、１つまたは複数のコンポーネント機能に対応する、項目２４に記載のコンピューティングシステム。
（項目２７）
前記１つまたは複数のリグコンポーネントは、
統合マニホールドアセンブリ、
レギュレータアセンブリ、
共通レール、ならびに／または、
剛性導管およびホットラインバルブパッケージ
を含む、項目２６に記載のコンピューティングシステム。
（項目２８）
前記１つまたは複数のソフトウェアアプリケーションは、
前記１つまたは複数のレベルからあるレベルのユーザ選択を受信することと、
前記選択されたレベルに対応する１つまたは複数の診断詳細の表示を可能にすることと、
１つまたは複数の機能の表示を可能にすることと
を行うようにさらに構成されており、前記１つまたは複数の機能のそれぞれは、前記選択されたレベルによって表される前記１つまたは複数のリグコンポーネントに対応する、項目２６に記載のコンピューティングシステム。
（項目２９）
ヒューマンマシンインターフェース（ＨＭＩ）アプリケーションを実装する方法であって、前記方法は、
少なくとも１つのプロセッサを備えるハードウェアデバイス上で実行しているまたは前記ハードウェアデバイス上に記憶されたユーザインターフェース上でユーザ入力を受信することによって、前記ＨＭＩアプリケーションのセッションを開始することと、
複数の非重複ゾーンの表示を可能にすることであって、前記複数の非重複ゾーンは、
アクションゾーンと、
１つまたは複数の選択可能なナビゲーションオプションを備える高レベルナビゲーションゾーン、および
システムヘッダゾーン
のうちの１つまたは複数のものと
を備える、ことと、
前記アクションゾーン内の複数の選択可能なアクションオプションの表示を可能にすることであって、前記アクションゾーンは、複数の非重複サブゾーンを備え、前記サブゾーンは、
インターフェース制御サブゾーンと、
情報サブゾーンと、
システム制御サブゾーンと、
を備える、ことと、
１つまたは複数の選択可能なアクションオプションの表示を可能にすることであって、前記１つまたは複数の選択可能なアクションオプションは、事前指定されたサブゾーン内に表示され、前記複数の選択可能なアクションオプションは、前記１つまたは複数の選択可能なナビゲーションオプションの選択に基づいて修正され、前記選択は、ユーザ選択およびデフォルト選択のうちの１つまたは複数のものである、ことと、
前記ハードウェアデバイスにおいて、前記１つまたは複数の選択可能なアクションオプションのうちの１つのユーザ選択を表すデータを受信することと、
前記ユーザ選択に基づいて、１つまたは複数の物理的海洋掘削リグコンポーネントの動作状態を制御することと
を含む、方法。
（項目３０）
１つまたは複数の海洋掘削リグに適用可能な１つまたは複数の標準動作プロシージャを実装することをさらに含む、項目２９に記載の方法。
（項目３１）
前記ハードウェアデバイスにおいて、前記１つまたは複数の標準動作プロシージャへの１つまたは複数の修正を表すデータを受信することと、
前記１つまたは複数の修正を前記１つまたは複数の標準動作プロシージャに適用することにより、１つまたは複数の修正された標準動作プロシージャを作成することと、
前記１つまたは複数の修正された標準動作プロシージャを前記１つまたは複数の海洋掘削リグに適用することと
をさらに含む、項目３０に記載の方法。
（項目３２）
前記１つまたは複数の選択可能なナビゲーションオプションは、
噴出防止装置（ＢＯＰ）スタック制御オプション、
診断オプション、
試験オプション、
設定オプション、
アラームオプション、
ダイバータオプション、
表面系オプション、
電子ライザ角度オプション、および
緊急接続解除オプション
のうちの１つまたは複数のものを含む、項目２９に記載の方法。
（項目３３）
前記ＢＯＰスタック制御オプションのユーザ選択を受信した後に、
前記情報サブゾーン内の１つまたは複数の選択可能なコンポーネントを備えるレイアウト図の表示を可能にすることであって、前記レイアウト図は、前記１つまたは複数の物理的海洋掘削リグコンポーネントの現在のスタック配列を表す、ことと、
前記インターフェース制御サブゾーン内の１つまたは複数の制御オプションの表示を可能にすることであって、前記１つまたは複数の制御オプションは、
１つまたは複数の制御プロシージャ、および
１つまたは複数の破壊機能制御モード
のうちの１つまたは複数のものを含む、ことと
をさらに含む、項目３２に記載の方法。
（項目３４）
前記システム制御サブゾーン内の１つまたは複数の視覚ステータス表示の表示を可能にすることと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
をさらに含む、項目２９に記載の方法。
（項目３５）
前記レイアウト図内の流路の表示を可能にすることと、
前記流路のための１つまたは複数の色の表示を可能にすることであって、前記１つまたは複数の強調された色は、前記流路の１つまたは複数の予測流路状態に対応し、前記１つまたは複数の予測流路状態は、
予測流体流動状態、
予測流体非流動状態、および／または
予測流体圧力蓄積状態
を含む、ことと、
前記選択可能なコンポーネントまたは制御オプションのうちの１つのユーザ選択を受信した後に、前記システム制御サブゾーン内の１つまたは複数の機能制御オプションの表示を可能にすることであって、前記１つまたは複数の機能制御オプションは、前記選択可能なコンポーネントまたは制御オプションのうちの１つの前記ユーザ選択に対応する、ことと
をさらに含む、項目３３に記載の方法。
（項目３６）
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを前記１つまたは複数の物理的リグコンポーネント上で実施することと
をさらに含む、項目３３に記載の方法。
（項目３７）
前記選択可能なコンポーネント、制御オプション、または破壊機能確認オプションのうちの１つのユーザ選択の受信後に、可聴フィードバック機能を果たすことをさらに含み、前記可聴フィードバック機能は、前記ユーザ選択に対応する機能が開始される前に、前記ユーザ選択の可聴確認を提供することを含む、項目３３に記載の方法。
（項目３８）
前記１つまたは複数の破壊機能は、
パイプ切断アクション、および
ＢＯＰ接続解除アクション
のうちの１つまたは複数のものを含む、項目３６に記載の方法。
（項目３９）
記設定オプションのユーザ選択を受信した後に、
前記インターフェース制御サブゾーンの中に位置する１つまたは複数のコンポーネントアイコンを備えるドラッグ・アンド・ドロップインターフェースの表示を可能にすることであって、前記コンポーネントアイコンは、前記１つまたは複数の物理的リグコンポーネントを表す、ことと、
メタデータの表示を可能にすることであって、前記メタデータは、前記１つまたは複数の物理的リグコンポーネントを説明する、ことと
をさらに含む、項目３２に記載の方法。
（項目４０）
前記少なくとも１つのコンポーネント動作オプションのユーザ選択を受信した後に、
前記１つまたは複数のコンポーネントアイコンのユーザ選択を受信することと、
ユーザが、前記情報サブゾーンの中に位置するレイアウト図上に、前記選択された１つまたは複数のコンポーネントアイコンをドラッグすることを可能にすることであって、前記レイアウト図は、前記１つまたは複数の物理的リグコンポーネントの現在のスタック配列を表す、ことと、
前記レイアウト図上に前記選択された１つまたは複数のコンポーネントアイコンを受け取ることに応じて、前記レイアウト図を修正することと、
前記修正されたレイアウト図を構成する前記１つまたは複数のコンポーネントアイコンに合致する修正された現在のスタック配列になるよう前記１つまたは複数の物理的リグコンポーネントの移動動作を制御することと
をさらに含む、項目３９に記載の方法。
（項目４１）
前記診断オプションのユーザ選択を受信した後に、
前記インターフェース制御サブゾーン内の１つまたは複数のシステム診断オプションの表示を可能にすることであって、前記１つまたは複数のシステム診断オプションは、
コンポーネント診断オプション、
機能診断オプション、および
イベント診断オプション
のうちの１つまたは複数のものを含む、ことと、
前記システム制御サブゾーン内の１つまたは複数の制御オプションの表示を可能にすることであって、前記１つまたは複数の制御オプションは、前記１つまたは複数のシステム診断オプションのうちの１つの前記ユーザ選択に対応する、ことと
をさらに含む、項目３２に記載の方法。
（項目４２）
前記イベント診断オプションのユーザ選択を受信した後に、
前記情報サブゾーン内のイベントタイムラインの表示を可能にすることであって、前記イベントタイムラインは、前記ＨＭＩアプリケーションによって記録された１つまたは複数のイベントに対応する１つまたは複数のイベントの線形表示を含み、前記１つまたは複数のイベントと１つまたは複数のユーザアクションとの間の因果関係を示す、ことと、
前記情報サブゾーン内のイベントログの表示を可能にすることであって、前記イベントログは、前記１つまたは複数の記録されたイベントのリストを含む、ことと
をさらに含む、項目４１に記載の方法。
（項目４３）
前記情報サブゾーン内のコンポーネントタイムラインの表示を可能にすることであって、前記コンポーネントタイムラインは、前記ＨＭＩアプリケーションによって記録された１つまたは複数のコンポーネントステータスイベントに対応する１つまたは複数のコンポーネントステータスの線形表示を含む、ことと、
前記情報サブゾーン内のコンポーネントログの表示を可能にすることであって、前記コンポーネントログは、前記１つまたは複数の記録されたコンポーネントステータスイベントのリストを含む、ことと
をさらに含む、項目４１に記載の方法。
（項目４４）
前記情報サブゾーン内の圧力および温度タイムラインの表示を可能にすることであって、前記圧力および温度タイムラインは、前記ＨＭＩアプリケーションによって記録された１つまたは複数の流体流動ステータスイベントに対応する１つまたは複数の圧力および温度ステータスの線形表示を含む、ことと、
前記情報サブゾーン内の圧力および温度ログの表示を可能にすることであって、前記圧力および温度ログは、前記１つまたは複数の記録された流体流動ステータスイベントのリストを含む、ことと
をさらに含む、項目４１に記載の方法。
（項目４５）
前記試験オプションのユーザ選択を受信した後に、
前記インターフェース制御サブゾーン内の１つまたは複数のシステム試験タイプオプションの表示を可能にすることであって、前記１つまたは複数のシステム試験タイプオプションは、
機能試験オプション、および
圧力試験オプション
のうちの１つまたは複数のものを含む、ことと、
前記情報サブゾーン内の１つまたは複数の試験情報フィールドの表示を可能にすることであって、前記１つまたは複数の試験情報フィールドは、
試験ステータス情報、および
試験履歴情報
のうちの１つまたは複数のものを含む、ことと、
前記１つまたは複数のシステム試験タイプオプションのうちの１つのユーザ選択を受信した後に、１つまたは複数の選択可能な試験オプションの表示を可能にすることと
をさらに含む、項目３２に記載の方法。
（項目４６）
前記１つまたは複数の選択可能な試験オプションのうちの１つまたは複数のもののユーザ選択を受信した後に、
前記選択された１つまたは複数の選択可能な試験オプションに対応する１つまたは複数の試験を実施することと、
選択されていない１つまたは複数の選択可能な試験オプションに対応する１つまたは複数の試験を実施することを遅延させることと
をさらに含む、項目４５に記載の方法。
（項目４７）
前記ＧＵＩは、単一のアクティブインターフェースウィンドウまたは複数のアクティブインターフェースウィンドウを備え、前記ＧＵＩは、
前記ＧＵＩの中心部分内の前記アクションゾーン、
前記アクションゾーンの右側部分上の前記インターフェース制御サブゾーン、
前記アクションゾーンの中心部分内の前記情報サブゾーン、および／または、
前記アクションゾーンの左側部分上の前記システム制御サブゾーン
を表示する、項目２９に記載の方法。
（項目４８）
赤色と、緑色とを備えるカラーパレットの表示を可能にすることと、
赤色を表示することにより、１つまたは複数の異常コンポーネント状態を示すことと、
緑色を表示することにより、エラーのない動作ステータス、および、全てのリグコンポーネントが特定のリグ動作のために正しく構成された物理的リグ構成のうちの１つまたは複数のものを示すことと
をさらに含む、項目２９に記載の方法。
（項目４９）
前記１つまたは複数のイベントは、コンポーネント故障およびアラームのうちの１つまたは複数のものを含む、項目４２に記載の方法。
（項目５０）
前記ＧＵＩは、タッチスクリーンインターフェースを備え、前記タッチスクリーンインターフェースは、ユーザが、前記１つまたは複数の選択可能なナビゲーションオプションまたは前記１つまたは複数の選択可能なアクションオプションに対応するアイコンにタッチすることによって、前記１つまたは複数の選択可能なナビゲーションオプションのうちの１つおよび前記１つまたは複数の選択可能なアクションオプションのうちの１つを選択することを可能にするように構成されている、項目２９に記載の方法。
（項目５１）
前記診断オプションのユーザ選択を受信した後に、
１つまたは複数のシステム診断オプションの表示を可能にすることであって、前記１つまたは複数のシステム診断オプションは、
規制準拠オプション、
動作ステータスオプション、および、
イベントログオプション
のうちの１つまたは複数のものを含む、こと
をさらに含む、項目３２に記載の方法。
（項目５２）
前記規制準拠オプションのユーザ選択を受信した後に、１つまたは複数のレベルと、１つまたは複数のノードと、前記１つまたは複数のノードを接続する１つまたは複数の経路とを備える診断決定パスツリーの表示を可能にすることをさらに含み、前記１つまたは複数のノードのそれぞれは、１つまたは複数のリグコンポーネントの現在の診断状態を表すアイコンを備える、項目５１に記載の方法。
（項目５３）
前記１つまたは複数のアイコンは、１つまたは複数の異常コンポーネント状態を示す第１のシンボルと、１つまたは複数のエラーのないコンポーネント状態を示す第２のシンボルとを含む、項目５２に記載の方法。
（項目５４）
前記１つまたは複数のレベルは、１つまたは複数のリグコンポーネントに対応し、前記１つまたは複数のノードは、１つまたは複数のコンポーネント機能に対応する、項目５２に記載の方法。
（項目５５）
前記１つまたは複数のリグコンポーネントは、
統合マニホールドアセンブリ、
レギュレータアセンブリ、
共通レール、ならびに／または、
剛性導管およびホットラインバルブパッケージ
を含む、項目５４に記載の方法。
（項目５６）
前記１つまたは複数のレベルからあるレベルのユーザ選択を受信することと、
前記選択されたレベルに対応する１つまたは複数の診断詳細の表示を可能にすることと、
１つまたは複数の機能の表示を可能にすることであって、前記１つまたは複数の機能のそれぞれは、前記選択されたレベルによって表される前記１つまたは複数のリグコンポーネントに対応する、ことと
をさらに含む、項目５４に記載の方法。
（項目５７）
ヒューマンマシンインターフェース（ＨＭＩ）アプリケーションを実装するための装置であって、前記装置は、
少なくとも１つのプロセッサ
を備え、前記少なくとも１つのプロセッサは、
少なくとも１つのプロセッサを備えるハードウェアデバイス上で実行しているまたは前記ハードウェアデバイス上に記憶されたユーザインターフェース上でユーザ入力を受信することによって、前記ＨＭＩアプリケーションのセッションを開始することと、
１つまたは複数の破壊機能制御モードをアクティブ化するユーザ入力を受信することと、
１つまたは複数の破壊機能のユーザ選択を受信することと、
破壊機能確認オプションの表示を可能にすることと、
前記破壊機能確認オプションのユーザ選択の受信に応じて、前記選択された１つまたは複数の破壊機能に対応する１つまたは複数のアクションを１つまたは複数の物理的海洋リグコンポーネント上で実施することと
を行うように構成されている、装置。